(57)【要約】      （修正有）【課題】衣服等への装着に要する動作がきわめて容易で、かつ外れ難いブローチ金具を提供すること。【解決手段】両側にはハンドル部１８と中央には略半円弧状の針部２０を備えた軸体からなり、側面方向から見た場合に針部２０の先端はハンドル部１８よりブローチ本体方向に突出する係止枠１２を、針部２０の先端が挿入する挿入穴２４とハンドル部１８が接する係止部２６を形成したブローチ本体の裏面に開閉自在に軸着し、係止枠１２を閉いて衣服等に針部２０を突き刺した後、係止枠１２を閉じて衣服等に装着するブローチ金具１０。【選択図】図１
2009136442.tif 000002
【特許請求の範囲】
【請求項１】
両側に垂下するハンドル部と、中央に略半円弧状の針部を備えた軸体からなる係止枠を偏平な台座に開閉自在に取り付けたことを特徴とするブローチ金具。
【請求項２】
前記係止枠を側面方向から見た場合に、前記針部の先端は前記ハンドル部より前記台座方向に突出していることを特徴とする請求項１に記載のブローチ金具。
【請求項３】
前記係止枠を前記台座に対し閉じた場合に、該台座における前記針部の先端が接する位置には挿入穴が形成されていることを特徴とする請求項１から２に記載のブローチ金具。
【請求項４】
前記係止枠を前記ブローチ本体に対し閉じた場合に、該台座における前記ハンドル部の先端が接する位置には係止部が形成されていることを特徴とする請求項１から３に記載のブローチ金具。
【請求項５】
前記係止枠を正面方向から見た場合に、前記ハンドル部の略中央が内側に湾曲していることを特徴とする請求項１から４に記載のブローチ金具。
【請求項６】
前記ハンドル部の一端には、かぎ部を形成した連結棒が回動自在に取り付けられると共に、他端には、該かぎ部が係止するかぎ穴が形成され、前記かぎ部を前記かぎ穴に係止する場合には、前記係止枠及び前記連結棒が全体としてループを形成することを特徴とする請求項１から５に記載のブローチ金具。
【請求項７】
請求項１から６に記載された台座をブローチ本体の裏面に貼着して形成するブローチの製造方法。
【発明の詳細な説明】
【技術分野】
【０００１】
この発明は、装身具用ブローチを衣服等に取り付けるための操作を極めて容易とするブローチ金具に関する。
【背景技術】
【０００２】
従来のブローチ金具を改良したものとしては、例えば、図８に示すようなものが存在する。このブローチ金具１００は、ブローチ本体１０２の裏面の一端に、針状の係止片１０４の端部１０６を回動自在に軸支し、ブローチ本体１０２の裏面の他端に、係止片１０４の尖った先端を止める係止受体１０８を設けており、この係止受体１０８は、図９に示すように、一端側に山型の切り欠き部１０８ａが入った円筒１０８ｂの内側に、一端にフランジ部１１０ａを設けた筒部１１０を嵌め入れ、このフランジ部１１０ａをつまんで移動させ（図９の矢印方向）、筒部１１０を係止受体１０８の円筒１０８ｂから出し入れして、係止片１０４の針状の先端を円筒１０８ｂ内に係止自在とするものである。
【０００３】
このブローチ金具１００は、係止片の針状の先端を開閉自在の二重輪環内に係止する構造であった従来のブローチ金具に比べると、係止片１０４を円筒１０８ｂ内に挿入することができるため、係止片１０４が外れ難く、また金具自体の耐久性を向上させたという利点を有する。しかし、このブローチ金具１００を衣服等に装着する際には、その度毎に係止受体１０８を開閉する動作、すなわち筒部１１０をフランジ部１１０ａでつまんで移動する動作が必要であり、かつその動作は衣服とブローチ本体１０２のわずかな隙間で行なわなければならないという不便さがあった。特に年齢の重ねている人にとっては、ブローチ金具１００の装着は決して容易でなく、誤って人肌に針を刺してしまうという事故も度々生じていた。
【発明の開示】
【発明が解決しようとする課題】
【０００４】
本発明は、衣服等への装着に要する動作がきわめて容易で、かつ外れ難いブローチ金具を提供することを目的とする。
【課題を解決するための手段】
【０００５】
上記目的を達成するために、請求項１に記載された本発明は、両側に垂下するハンドル部と、中央に略半円弧状の針部を備えた軸体からなる係止枠を偏平な台座に開閉自在に取り付けたブローチ金具であることを特徴とする。また、本発明においては、前記係止枠を側面方向から見た場合に、前記針部の先端は前記ハンドル部より前記台座方向に突出していることが好ましい。
【０００６】
さらに、本発明においては、前記係止枠を前記台座に対し閉じた場合に、該台座における前記針部の先端が接する位置には挿入穴が形成されていることが好ましい。くわえて、本発明においては、前記係止枠を前記ブローチ本体に対し閉じた場合に、該台座における前記ハンドル部の先端が接する位置には係止部が形成されていることが好ましい。
【０００７】
請求項５に記載された本発明は、請求項１から４に記載のブローチ金具において、前記係止枠を正面方向から見た場合に、前記ハンドル部の略中央が内側に湾曲していることを特徴とする。請求項６に記載された本発明は、請求項１から５に記載のブローチ金具において、前記ハンドル部の一端には、かぎ部を形成した連結棒が回動自在に取り付けられると共に、他端には、該かぎ部が係止するかぎ穴が形成され、前記かぎ部を前記かぎ穴に係止する場合には、前記係止枠及び前記連結棒が全体としてループを形成することを特徴とする。
【０００８】
請求項７に記載された本発明は、請求項１から６に記載された台座をブローチ本体の裏面に貼着して形成するブローチの製造方法であることを特徴とする。
【発明の効果】
【０００９】
本発明に係るブローチ金具によれば、ハンドル部を開いた状態で、衣服上でブローチ本体をスライドして針部を突き刺すことができ、その後ハンドル部を閉じて確実に装着することができる。よって、衣服との着脱が極めて容易となる。また、ハンドル部が閉じた状態において、ブローチ金具が衣服から外れることはない。さらに、必要な場合にはネックレスチェーンを針部に挿通して、ブローチ本体をペンダントとして使用することもできる。
【発明の実施の形態】
【００１０】
以下、本発明に係るブローチ金具の好ましい実施形態を図面により詳細に説明する。図１において、（ａ）は、係止枠１２を閉じたブローチ金具１０を示す斜視図であり、（ｂ）は、係止枠１２を開いたブローチ金具１０を示す斜視図である。図２において、（ａ）は、係止枠１２の正面図であり、（ｂ）は、その側面図である。図３において、（ａ）は、ブローチ金具１０の衣服３０への装着方法を示す斜視図であり、（ｂ）は、その装着状態を示す斜視図である。図４は、ブローチ金具１０をペンダントヘッドとして使用する状態を示す斜視図である。
【００１１】
ブローチ金具１０は、係止枠１２と台座１４から構成され、例えば、プラチナ、金、銀等の貴金属や、またはその他の金属に金メッキや銀メッキ加工を施したものを素材とし、その製造は、例えば、ロストワックスキャスティング、プレス切断加工、線引き加工等によりなされる。
【００１２】
係止枠１２は、例えば、直径１ｍｍ程度の丸線からなる軸体を、両側では、略直線状に垂下し、先端に球状の支持体１６を形成したハンドル部１８を備え、略中央には、略半円弧状に垂下し、先端で鋭角となる針部２０を備えている。
【００１３】
係止枠１２は、正面方向から見ると、全体としては下向きに略コの字状をなし、側面方向から見ると、湾曲した針部２０の先端がハンドル部１８における逆側（後記する台座１４の方向）に突出している。
【００１４】
台座１４は、例えば、厚み１ｍｍ程度の偏平な板体で、上方には略円形の輪環２２が並列して突設され、係止枠１２を閉じた場合に、針部２０の先端が接する位置には挿入穴２４と、支持部１６が接する位置には、山形の中央が凹んだ突起からなる係止部２６がそれぞれ形成されている。
【００１５】
係止枠１２は、軸体の上方中央が略円形の輪環２２内に横方向に軸着され、台座１４に対し開閉自在に取り付けられることで、ブローチ金具１０が形成される。
【００１６】
なお、ブローチ金具１０は、ブローチ本体２８の裏側に、例えば、ロー付け加工、強力接着剤等により貼着され、装身具用ブローチが製造される。
【００１７】
このようなブローチ金具１０を使用する方法は、ブローチ本体２８を取り付けたい部分の衣服３０を手指等で前方に引っ張り出し、係止枠１２を開いた状態のブローチ金具１０をやや前傾して、上方向から回すようにスライドさせる。半円弧状をなす針部２０の先端は自然に衣服３０の下方向に貫通し、裏側に突出する。さらに、ブローチ金具１０を回すようにスライドさせると、針部２０の先端は衣服３０の表側に貫通する。
【００１８】
そして、衣服３０は引っ張られており、身体とブローチ金具１０の間には距離が存在しているので（身体とブローチ金具１０は離れているので）、ブローチ金具１０を支持した状態のままでハンドル部１８を下方向に押圧し、細くなった衣服３０の引っ張り部分を通過させて係止枠１２を閉じるように押圧する。この結果、針部２０の先端は挿入穴２４に挿入され、支持部１６は係止部２６に固定される。
【００１９】
ここで、衣服３０の引っ張りを解放すると、身体とブローチ金具１０の間の距離は自然になくなり、ブローチ本体２８は衣服３０にぴったり装着する。この状態において、ハンドル部１８が上方向に開くことはほとんどなく、突き刺さった針部２０が衣服３０から離脱することはない。よって、ブローチ本体２８は衣服３０から外れない。
【００２０】
また、ブローチ本体２８を衣服３０から外す場合には、前記同様に衣服３０を前方に引っ張り出し、ハンドル部１８を上方向に押圧し、係止枠１２を開いた状態にすれば、針部２０は衣服３０から自然に離脱する。
【００２１】
なお、係止枠１２が閉じた状態においては、針部２０の先端は挿入穴２４に挿入され、閉じた半円形の輪環を形成するため、その部分にネックレスチェーン３２等を挿通すれば、ブローチ本体２８を首から下げるペンダントヘッドとして使用することもできる。
【００２２】
図５は、第２ブローチ金具４０を示す斜視図である。
【００２３】
第２ブローチ金具４０は、ブローチ金具１０と同様の素材、ほぼ同様の構造からなるものであるが、係止枠４２におけるハンドル部４８の略中央がそれぞれ内側に湾曲し、全体として略Ｘ字形を形成している。
【００２４】
第２ブローチ金具４０を使用する方法は、ブローチ金具１０と同様だが、ここでは衣服をより強く引っ張り、引っ張り部分を細長く引き出して針部５０を突き刺す必要がある。しかし、一旦ブローチが装着されると、逆に狭まった略Ｘ字状のハンドル部４８の中央を衣服が逆方向に通過することは極めて困難であるから、第２ブローチ金具４０はより外れ難いという利点を有する。
【００２５】
図６は、第３ブローチ金具６０を示す斜視図である。
【００２６】
第３ブローチ金具６０は、ブローチ金具１０と同様の素材、ほぼ同様の構造からなるものであるが、係止枠６２に針部７０、７１が２本取り付けられている。
【００２７】
第３ブローチ金具６０を使用する方法も、ブローチ金具１０と同様であるが、複数の針部７０、７１が取り付けられることで、一方の針部が外れても他方の針部が残ることとなる。よって、第３ブローチ金具６０は外れ難くなるばかりか、ブローチ本体（図示せず。）も横周りしない等、装着時の安定性に特に優れている。
【００２８】
図７は、第４ブローチ金具８０を示す斜視図である。
【００２９】
第４ブローチ金具８０は、ブローチ金具１０と同様の素材、ほぼ同様の構造からなるものであるが、ハンドル部８８の一端には、かぎ部９８を形成した連結棒９７が、互いに係合する輪環８６、輪環９６により回動自在に取り付けられている。また、ハンドル部８９の逆端には、かぎ部９８を係止できるかぎ穴８７が形成されている。
【００３０】
第４ブローチ金具８０においては、衣服等に突き刺した後に係止枠８２を閉じるのみならず、連結棒９７のかぎ部９８をハンドル部８９のかぎ穴８７に係止すると、係止枠８２と連結棒９７は全体としてループを形成することができる。
【００３１】
第４ブローチ金具８０を使用する方法は、ブローチ金具１０とほぼ同様であるが、係止枠８２を開いた状態で針部９０を突き刺して衣服を通過させ、係止枠８２を下方に閉じた後に、かぎ部９８をかぎ穴８７に係止し、ハンドル部８８、８９と連結棒９７により係止枠８２がループを形成すると、係止枠８２は上方に全く開かなくなり、第４ブローチ金具８０が外れることはない。
【００３２】
以上、上記の実施例では本発明が有利に適用される場合として、偏平な台座に枠体を開閉自在に取り付けた後、ブローチ本体に貼着してブローチ金具とする場合を説明したが、本発明では台座が必須とされるものではなく、例えば、ブローチ本体の裏面に直接係止枠を取り付けても良い。また、針部の形状ニつき、直線状で下方に垂下し、円弧状に湾曲する場合のみを説明したが、針部自体は前後左右に湾曲しつつ下方に垂下するような形状を採ることもできる。係止部についても、要はハンドル部を台座上で着脱可能とするものであればどのような形状のものであっても良い。その他、本発明の技術的思想を具現化する構造のブローチ金具であって、デザインだけの違いであれば、本発明の範疇に含まれるのは当然である。
【図面の簡単な説明】
【００３３】
【図１】（ａ）は、係止枠を閉じたブローチ金具を示す斜視図であり、（ｂ）は、係止枠を開いたブローチ金具を示す斜視図である。
【図２】（ａ）は、係止枠の正面図であり、（ｂ）は、その側面図である。
【図３】（ａ）は、ブローチ金具の衣服への装着方法を示す斜視図であり、（ｂ）は、その装着状態を示す斜視図である。
【図４】ブローチ金具をペンダントヘッドとして使用する状態を示す斜視図である。
【図５】第２ブローチ金具を示す斜視図である。
【図６】第３ブローチ金具を示す斜視図である。
【図７】第４ブローチ金具を示す斜視図である。
【図８】従来のブローチ金具を改良したものを示す説明図である。
【図９】従来のブローチ金具を改良したものを示す部分拡大図である。
【符号の説明】
【００３４】
１０  ブローチ金具
１２  係止枠
１４  台座
１６  支持部
１８  ハンドル部
２０  針部
２２  輪環
２４  挿入穴
２６  係止部
２８  ブローチ本体
３０  衣服
３２  ネックレスチェーン
４０  第２ブローチ金具
４２  係止枠
４４  台座
４６  支持部
４８  ハンドル部
５０  針部
５２  輪環
５４  挿入穴
６０  第３ブローチ金具
６２  係止枠
６４  台座
６８  ハンドル部
７０  針部
７１  針部
７４  挿入穴
７５  挿入穴
７６  支持部
８０  第４ブローチ金具
８２  係止枠
８４  台座
８７  かぎ穴
８６  輪環
８８  ハンドル部
８９  ハンドル部
９０  針部
９４  挿入穴
９６  輪環
９７  連結棒
９８  かぎ部
１００  ブローチ金具
１０２  ブローチ本体
１０４  係止片
１０６  端部
１０８  係止受体
１０８a  切り欠き部
１０８b  円筒
１１０  筒部
１１０a  フランジ部
【図１】
2009136442.tif 000003
【図２】
2009136442.tif 000004
【図３】
2009136442.tif 000005
【図４】
2009136442.tif 000006
【図５】
2009136442.tif 000007
【図６】
2009136442.tif 000008
【図７】
2009136442.tif 000009
【図８】
2009136442.tif 000010
【図９】
2009136442.tif 000011